(57)【要約】【課題】頭の大きさに応じて自動的にサイズが調節されるようにする。【解決手段】素材を型押しで保形している頭部被着用のクラウンと、該クラウンの開口周縁より突出するツバとを備え、上記クラウンの開口周縁の内面に伸縮性ビン皮の両端を連結してクラウン内部にフリーな状態で架け渡し、該伸縮性ビン皮が頭径に応じて伸縮して後頭部側に伸縮性ビン皮が自動的にフィットする構成としている。上記伸縮性ビン皮の両端は上記クラウンの左右両側部の対向位置に縫着し、該伸縮性ビン皮の両端取付位置より前頭部側のクラウン周縁寸法をＡ寸法とし、後頭部側のクラウン周縁寸法をＢ寸法とすると、Ａ：Ｂ＝１：１〜３：１に設定している。【選択図】　図１
2004124285.tif 000002
【特許請求の範囲】
【請求項１】
素材を型押しで保形している頭部被着用のクラウンと、該クラウンの開口周縁より突出するツバとを備え、上記クラウンの開口周縁の内面に伸縮性ビン皮の両端を連結してクラウン内部にフリーな状態で架け渡し、該伸縮性ビン皮が頭径に応じて伸縮して頭部にフィットする構成としていることを特徴とする帽子。
【請求項２】
上記伸縮性ビン皮の両端は上記クラウンの左右両側部の対向位置に縫着し、該伸縮性ビン皮の両端取付位置より前頭部側のクラウン周縁寸法をＡ寸法とし、後頭部側のクラウン周縁寸法をＢ寸法とすると、Ａ：Ｂ＝１：１〜３：１に設定し、被着者のこめかみより前の前頭部は上記保形されたクラウンの内周面にフィットすると共にこめかみを含めて後頭部に上記伸縮性ビン皮がフィットする構成としている請求項１に記載の帽子。
【請求項３】
上記クラウンの開口周縁の周回り寸法は５６センチ〜６０センチとし、上記伸縮性ビン皮の幅は３５ｍｍ〜５０ｍｍ、長さは１３ｃｍ〜２０ｃｍで、該ビン皮の両端取付位置より後頭部側のクラウン周縁寸法は１５ｃｍ〜３０ｃｍとし、かつ、上記伸縮性ビン皮の伸縮率は１１０％〜１８０％で、実寸伸び代を２ｃｍ〜８ｃｍとしている請求項１または請求項２に記載の帽子。
【請求項４】
上記伸縮性ビン皮は、ポリウレタン弾性繊維（スパンデックス）あるいはゴムを素材なり、上記クラウンおよびツバはパルプ、海藻、草木、藁等の天然原料からなる撚糸を空隙をあけたメッシュ状に編成した通気性素材よりなる請求項１乃至請求項３のいずれか１項に記載の帽子。
【請求項５】
上記クラウンの開口周縁の内面には、上記伸縮性ビン皮の両端との連結位置より前頭部側に沿って、非伸縮性で吸汗速乾性を有する汗取り用ビン皮を取り付けている請求項１乃至請求項４のいずれか１項の記載の帽子。
【請求項６】
上記クラウンは略円筒状の外周部と窪み部分を設けた頭戴部を有する形状に成形していると共に、上記ツバは左右両側部を上向きに折り返した形状に成形してテンガロンハット形状とし、
かつ、上記クラウンの下端周縁の左右両側に紐通り穴を設け、該紐通し穴にクラウンの前頭部側の下端外周に沿って巻き付ける紐の両側を通して、該紐の先端に長さ調節具を通した後に締結しており、該紐を顎に引っかけたり或いは上記ツバの左右両側の折り返し部に沿わせてクラウンの頭戴部に架け渡し、ゴルフ用としている請求項１乃至請求項５のいずれか１項に記載の帽子。
【発明の詳細な説明】
【０００１】
【発明の属する技術分野】
本発明は帽子に関し、特に、頭の大きさにかかわらずフィットできるようにすると共に、通気性に富ませ、ゴルフプレー時に長時間にわたって被るに適した帽子に関するものである。
【０００２】
【従来の技術】
帽子は着用者の頭の大きさに適合させる必要があるが、頭の大きさは異なり、オーダーメードで作成する以外は着用者の頭部にぴったりとフィットした帽子とはならない。
日本人の平均的な頭回り寸法は５８センチとされており、よって、既製の帽子では「大は小を兼ねる」の発想より、通常、図７に示すように、頭に被着するクラウン１の周縁寸法（頭回り寸法）を６０センチに設定している。
しかしながら、頭回り寸法が５８センチよりも小さい着用者にとっては、大きすぎて帽子がぬげやすくなり、そのため、深く被ることが多いが、その場合には見栄えが悪くなる。
【０００３】
上記問題に対して、図８に示すように、クラウン１の内面側の全周縁に沿って取り付けるビン皮２を伸縮性を有するゴム帯より形成し、該ゴム帯よりなるビン皮２を着用者の頭部全周に沿って伸縮させてサイズ調整を行っている場合がある。　この場合は、頭が小さい着用者にとってはぴったりとフィットするものとなるが、頭回り寸法が５８センチ〜６０センチの着用者にとってはゴム帯からなるビン皮２で頭部全周を締め付けることとなる。特に、こめかみ部分に締め付け力を感じると、頭痛発生の要因となり、ゴルフプレー時等の長時間着用には適したものにならない。
【０００４】
さらに、上記ゴム帯からなるビン皮を取り付けた帽子を改良したものとして、図９に示す帽子が特開２０００−３０３２４１号で提供されている。
上記帽子ではクラウン１の全周縁の内面に沿ってゴム帯からなるビン皮２を取り付けていると共に、このビン皮２にさらにゴム紐３を通し、その一端をビン皮２に縫着すると共に、他端をビン皮２から突出させ、その先端をビン皮内面に取り付けた面ファスナー４によって任意の位置に止められるようにしている。
【０００５】
【特許文献１】
特開２０００−３０３２４１号公報
【０００６】
【発明が解決しようとする課題】
しかしながら、上記帽子においても、ゴム帯からなるビン皮２がクラウン１の全周に沿って取り付けられているため、該ビン皮２に通したゴム紐３を引っ張ってビン皮２の面ファスナー４に止めると、頭部の全周がゴム帯により締め付けられた感じとなり、前記と同様に頭痛発生の要因となる。さらに、頭部の全周がゴム帯が巻き付かれた状態となるため、汗をかきやすいゴルフプレー中等においてゴム帯の部分で汗が溜まりやすく着用感が悪いものとなる。
かつ、面ファスナー４がビン皮２の表面に取り付けられているため、面ファスナー４が紐３と接合していない部分が着用者の髪に引っ掛かりやすい問題がある。また、帽子を被る前に紐４を面ファスナー３に止めてサイズ調節をしておく必要があり、着用した状態でフィットしないと、再度帽子を縫いで紐４と面ファスナー３とを止着しなおす必要があり、サイズ調整作業が煩わしくなる問題がある。
【０００７】
本発明は上記問題を解消するためになされたもので、帽子を被るだけで自動的に頭部にフィットする大きさとすることができ、かつ、頭部の全周を圧迫せず、しかも、汗をかきやすいゴルフプレー中等に帽子を被った状態で通気性が良く着用感の良いものとすることを課題としている。
【０００８】
【課題を解決するための手段】
上記課題を解決するため、本発明は、素材を型押しで保形している頭部被着用のクラウンと、該クラウンの開口周縁より突出するツバとを備え、上記クラウンの開口周縁の内面に伸縮性ビン皮の両端を連結してクラウン内部にフリーな状態で架け渡し、該伸縮性ビン皮が頭径に応じて伸縮して頭部にフィットする構成としていることを特徴とする帽子を提供している。
【０００９】
本発明の帽子は、頭に被るクラウンは金型内で型押しで成形して所要形状に保形することにより、型崩れしない構成としている。そのため、クラウン自体は頭の大きさに応じて伸縮しないが、クラウン内部に両端をクラウンに連結した伸縮性ビン皮をフリーな状態で架け渡した構成としているため、この伸縮性ビン皮が後頭部等の頭の一部に沿って伸縮してフィットし、容易に頭から脱落しない構成とすることができる。上記伸縮性ビン皮により頭の一部にフィットさせ、全周をビン皮により締め付けていないため、窮屈感や頭痛を発生させることがなく、かつ、ビン皮により汗を溜めることがない着用感の良い帽子とすることができる。
【００１０】
具体的には、上記伸縮性ビン皮の両端はクラウンの左右両側部の対向位置に縫着し、該伸縮性ビン皮の両端取付位置より前頭部側のクラウン周縁寸法をＡ寸法とし、後頭部側のクラウン周縁寸法をＢ寸法とすると、Ａ：Ｂ＝１：１〜３：１に設定し、被着者のこめかみより前の前頭部は上記保形されたクラウンの内周面にフィットすると共に、こめかみを含めて後頭部に上記伸縮性ビン皮がフィットする構成としている。
【００１１】
上記伸縮性ビン皮の取付位置を、上記Ａ：Ｂ＝１：１とするとクラウンの丁度半分の中央位置に取り付けられ、頭部の後頭部側の半分を頭部の大きさに応じて伸縮性ビン皮を伸縮させてフィットさせることとなり、こめかみの部分は中央位置よりも前方に位置するため、伸縮性ビン皮はこめかみには当たらない。
上記Ａ：Ｂ＝３：１の場合は、さらに、耳よりも後ろの後頭部に伸縮性ビン皮がフィットすることとなり、この場合もこめかみ部分には伸縮性ビン皮は当たらない。
なお、本発明者の実験によると、Ａ：Ｂ＝２：１が最も最適である。
このように、前頭部をクラウンの内周面にフィットさせた状態で、後頭部側の半分あるいは１／３を伸縮性ビン皮によりフィットさせると、頭部を全周を締め付けることなく、風等を受けても帽子がぬげない程度に頭部に密着させることができる。
【００１２】
上記クラウンの開口周縁の周回り寸法は５６センチ〜６０センチとし、好ましくは５８センチ〜６０センチで、平均的日本人の頭部の大きさから若干大き目のサイズとしている。
また、上記伸縮性ビン皮の幅は３５ｍｍ〜５０ｍｍ、長さは１３ｃｍ〜２０
ｃｍとする一方、該伸縮性ビン皮の両端取付位置より後頭部側のクラウン周縁寸法は１５ｃｍ〜３０ｃｍとしている。即ち、伸縮性ビン皮は原状では後頭部の頭回り寸法よりも小さくし、伸びた状態で後頭部側のクラウン周縁に沿わせるように設定している。
上記伸縮性ビン皮の伸縮率は１１０％〜１８０％で、実寸伸び代が２ｃｍ〜８ｃｍとなるゴム素材を用いて形成している。
【００１３】
上記寸法は本発明者の繰り返し実験によって知見した寸法である。この寸法設定とすると、頭が小さい人が着用した場合に伸縮性ビン皮を後頭部に適度の接触圧でフィットできる一方、頭回りが５８センチ以上の大きな人が着用して伸縮性ビン皮を伸ばした状態としても、締め付け感を発生させることなく後頭部にフィットさせることができる。
【００１４】
上記伸縮性ビン皮は、ポリウレタン弾性繊維（スパンデックス）あるいはゴムを素材としている。
【００１５】
上記クラウンの開口周縁の内面には、上記伸縮性ビン皮両端との連結位置より前頭側に沿って、非伸縮性で吸汗速乾性を有する汗取り用ビン皮を取り付けていることが好ましい。この非伸縮性のビン皮はポリエステルを素材としていることが好ましい。
上記のように、前頭部側の非伸縮性のビン皮と後頭部側の伸縮性ビン皮とによりクラウンの全周縁に沿ってびん皮を設け、この全周のビン皮により頭部全周をフィットさせると、締め付け感を生じさせることなく、着用時の安定感を高めることができる。
また、ゴルフ等の運動時には額等の前頭部側に汗をかきやすく、この前頭部側にフィットさせるビン皮を吸汗速乾性の素材で形成していることにより、ビン皮部分で汗が溜まって不快感を生じることを防止できる。
【００１６】
上記クラウンおよびツバはパルプ、海藻、草木、藁等の天然原料よりなる撚糸を、空隙をあけたメッシュ状に編んだ通気性素材より形成することが好ましい。即ち、ストローハット状として、蒸れの発生がない構成としていることが好ましい。特に、ゴルフプレー中においては運動量および緊張感より汗をかくことが多いが、通気性を良好としているため、長時間防止をかぶっても違和感や不快感を発生させない。
【００１７】
上記クラウンは略円筒状の外周部と窪み部分を設けた頭戴部を有する形状に成形していると共に、上記ツバは左右両側部を上向きに折り返した形状に成形してテンガロンハット形状とし、
かつ、上記クラウンの下端周縁の左右両側に紐通り穴を設け、該紐通し穴にクラウンの前頭部側の下端外周に沿って巻き付ける紐の両側を通して、該紐の先端に長さ調節具を通した後に締結しており、該紐を顎に引っかけたり或いは上記ツバの左右両側の折り返し部に沿わせてクラウンの頭戴部に架け渡し、ゴルフ用としていることが好ましい。
【００１８】
上記テンガロンハット形状とした帽子にブランド名を付設する場合、ツバの側方内面で、折り返した状態で外面となる部分にブランド名を入れておくと、ブランド名が特徴的に表出でき、ユニークな感じを持たせることができる。
なお、ブランド名を付設する位置は上記に限定されない。
【００１９】
【発明の実施の形態】
以下、本発明の実施形態を図面を参照して説明する。
図１乃至図５は第１実施形態のストローハットのゴルフ用の帽子１０を示し、図１（Ａ）は平面図、（Ｂ）は底面図、（Ｃ）は側面図である。
【００２０】
帽子１０は頭部被着用のクラウン１１と、該クラウン１１の開口周縁寄り突出するツバ１２とを備えている。クラウン１１およびツバ１２はパルプを原料とした靭皮繊維を撚った糸条を、空隙が大きいメッシュ状に編んだ通気性を有する素材からなり、該素材に撥水加工を施している。
上記素材をスチーム蒸気の環境下で型押しで成形し、クラウン１１は円筒形状の外周部１１ａと窪みを持たせた頭戴部１１ｂを備えた形状とし、ツバ１２は両側部に折り返し部１２ａを設けて、所謂テンガロンハット（カーボーイハット）の形状に比較的硬く保形し、型崩しないようにしている。
即ち、クラウン１１を着用者の頭に被せた状態でクラウン１１は、布製の帽子のように頭に沿うことはなく、成形状態を保持し、成形したテンガロンハット形状を型崩れなく保持できるようにしている。
【００２１】
クラウン１１の内部には、ツバ１２と接する開口周縁の内面に伸縮性ビン皮１５の両端１５ａ、１５ｂを縫着して止め、クラウン１１の内部に、図１（Ｂ）および図２に示すように、伸縮性ビン皮１５を架け渡している。この伸縮性ビン皮１５の両端取付位置Ｐ１、Ｐ２は、前頭部側のクラウン周縁寸法をＡ寸法とし、後頭部側のクラウン周縁寸法をＢ寸法とすると、Ａ：Ｂ＝１：１〜３：１となる位置とし、本実施形態では２：１に設定し、後頭部側に寄った位置に伸縮性ビン皮１５の両端をクラウン１１に縫着している。
上記伸縮性ビン皮１５の両端取付位置Ｐ１，Ｐ２は着用者が帽子をかぶった時に両側のこめかみに伸縮性ビン皮１５が当たらないように、こめかみより後側に位置させている。
【００２２】
具体的には、クラウン１１の開口周縁の頭回り寸法（Ａ＋Ｂ）は５８センチ〜６０センチの範囲とし、本実施形態では比較的大きめの６０センチとしている。
伸縮性ビン皮１５は幅は３５ｍｍ〜５０ｍｍの範囲とし、本発明では４２ｍｍとしている。また、伸縮性ビン皮１５の長さＣは１３ｃｍ〜２０ｃｍの範囲とし、本実施形態では１６．５センチとしている。
伸縮性ビン皮１５の両端取付位置Ｐ１，Ｐ２より後頭部側のクラウン周縁寸法Ｂは１５ｃｍ〜３０ｃｍの範囲とし、本実施形態で２２センチとし、上記Ａ寸法は３８センチとしている。
【００２３】
伸縮性ビン皮１５はポリウレタン弾性糸（スパンデックス）で編成した帯あるいはゴム帯からなる。本実施形態ではポリウレタン弾性糸を用いている。
伸縮性ビン皮１５の伸縮率は１１０％〜１８０％の範囲とし、実寸伸び代を２ｃｍ〜８ｃｍとし、本実施形態では伸縮率を１３３％としている。
【００２４】
クラウン１１の開口周縁の内面には、上記伸縮性ビン皮１５の両端との連結位置Ｐ１，Ｐ２より前頭部側に沿って、非伸縮性で吸汗速乾性を有する汗取り用ビン皮１６をクラウン１１に縫着して取り付けている。この汗取り用ビン皮１６はポリエステルより形成し、その巾は伸縮性カン皮１５と同様な４２ｍｍとしている。
【００２５】
このように、従来はクラウンに全周に沿って環状に縫着されているカン皮を、本実施形態では、前頭部側に縫着した非伸縮性の汗取り用カン皮１６と後頭部側において両端をクラウン１１に止めて中間部はフリーとしてクラウン１１内に架け渡している伸縮性カン皮１５とにより環状に形成している。
【００２６】
さらに、クラウン１１の下端周縁の左右両側に紐通り穴１８を設け、紐通し穴１８にクラウン１１の前頭部側の下端外周に沿って巻き付ける紐２０の両側を通して、紐２０の先端に長さ調節具２１を通した後に結び合わせている。
上記紐２０は調節具２１を移動させて長さ調節し、着用者の顎に引っかけたり、或いは図３に示すように、ツバ１２の左右両側の折り返し部１２ａに沿わせてクラウン１１の頭戴部１１ｂに架け渡した状態と出来るようにしている。
【００２７】
ツバ１１は左右両側を折り返すために前後両側よりも巾広とし、本実施形態では左右両側巾を４０センチ、前部側および後部側の巾を３５センチとしている。
なお、ツバ１１の左右両側には必ずしも折り返し部を設ける必要はない。
さらに、クラウン１１の外周部１１ａの下端縁に沿って皮紐２２を巻き付けてデザイン性を高めている。
かつ、クラウン１１の外周面の側面に当たる位置にブランド名２１を付設しているが、図４に示すように、折り返し部１２ａで外面となる位置にブランド名２１を付設してもよいし、前頭部に当たる位置にブランド名を付設してもよく、該ブランド名は刺繍で設けることが好ましい。
【００２８】
上記構成からなるゴルフ用の帽子１０では、着用者の頭の大きさに応じて伸縮性カン皮１５が自動的に伸縮して後頭部にフィットする。
即ち、頭が小さい着用者の場合、図５（Ａ）に示すように、伸縮性カン皮１５の伸び代が少ない状態で後頭部にフィットする一方、頭が大きい着用者の場合、図５（Ｂ）に示すように、伸縮性カン皮１５の伸び代が大きくなり、クラウン１１の後頭部側内周縁に沿った状態となって後頭部にフィットする。このように、頭の大きさに応じて伸縮性カン皮１６の伸び代が自動的に調節され、着用者はサイズ調節作業をする必要なく、自分の頭に応じたサイズとすることができる。
【００２９】
また、着用時には、前頭部には汗取り用カン皮１６が緩やかに当たり、頭部の全周が汗取り用カン皮１６と伸縮性カン皮１５とにより環状にフィットされるため、安定感のある状態でクラウン１１が頭部に被さる。よって、風等が当たっても容易に防止が脱げることはなく、帽子の位置ずれや脱落を気にすることなくゴルフプレーに集中することができる。
特に、上記帽子１０では、頭部全周ではなく、後頭部側のみ伸縮性カン皮１５をフィットさせ、着用者のこめかみに伸縮性カン皮１５が当たらないにしているため、従来の全周をゴム帯からなるカン皮を取り付けていた帽子の場合に発生した窮屈感や頭痛の発生を防止できる。その結果、長時間にわたるゴルフプレーの間中、帽子１０を着用しても疲れを発生させない。
【００３０】
さらに、汗をかきやすい前頭部側には吸汗速乾性に優れた汗取り用カン皮１６を取り付けているため、該汗取り用カン皮１６により前頭部側に発生する汗を素早く吸収発散させることができる。かつ、クラウン１１を大きな空隙を有するメッシュ状としているため、通気性に優れ、着用感を更に向上させることができる。
【００３１】
図６は第２実施形態を示し、伸縮性カン皮１５’はその両端１５ａ’と１５ｂ’とをクラウン１１の両側部に連結してクラウン１１内に架け渡していると共に、その中心部１５ｃ’を後頭部の先端位置Ｐ３にも止めている。この状態で、Ｐ１とＰ３の間と、Ｐ２とＰ３の間の２カ所をフリー部分１５’ｄ、１５’ｅとしている。
【００３２】
上記第２実施形態の帽子では、被る時に伸縮性カン皮１５’を後頭部側に引っ掛けることなく着用でき、フリー部分１５’ｄと１５’ｅとが伸縮して後頭部の両側にフィットさせることができる。
【００３３】
本発明は上記実施形態に限定されず、前頭部側に汗取り用カン皮１６を取り付けず、伸縮性カン皮１５のみを取り付けてもよい。
また、クラウン１１およびツバ１２の素材はパルプ原料に限定されず、海草や草木を原料とする撚糸を素材としても良いし、通常のストローハットの素材となる藁を原料とする撚糸を素材としても良く、通気性に富んで汗を保水しない素材であればよい。さらに、クラウンの外周部の外面に巻き付ける素材は皮紐にかえて模様等を有するリボンに変えても良い。
【００３４】
「実験例」
第１実施形態のストローハットの寸法を下記の表に示すように変えて実験例１２、３を作成すると共に、クラウンの全周縁の内面に沿ってゴム帯からなるビン皮を取り付けた従来例のストローハットを作成した。
実験例１〜３は寸法を変えているのみで、素材、形状は同一としている。
【００３５】
2004124285.tif 000003
【００３６】
全周（Ａ＋Ｂ）：クラウンの全周縁の寸法
Ａ：伸縮性カン皮の両端位置より前頭部側のクラウン周縁寸法
Ｂ：伸縮性カン皮の両端位置より後頭部側のクラウン周縁寸法
Ｃ：伸縮性カン皮の長さ
伸縮率：伸縮性カン皮の伸縮率
許容サイズ：頭部の頭回り寸法
有効許容サイズ：伸縮性カン皮がテンション０であるため、実際にはテンションがかかり始めるところから有効許容サイズとなる。
サイズ許容合否：５６〜６０ｃｍの範囲で許容する場合を○、許容しない場合を×
着用感：テスター３０人に着用してもらい、着用感のテストを行った。良好は○、ふつうは△、締め付け感じが強く不快は×
【００３７】
表１に示すように、従来品では頭回り寸法が５５センチ以上になると締め付けが強くなり、特にこめかみ部に圧迫感が強く不快感が生じていた。
本発明の実施形態の実験例２、実験例３は着用感はいずれも良好であるが、実験例１では伸縮性カン皮が頭部の後ろ半分にフィットさせているため、頭が最もおおきな６０ｃｍの人が着用した場合には若干締め付け感が生じた。
また、サイズ許容合否では実験例１、２は○であるが、実施例３はＸとなった。　上記試験結果より、実験例２が最も好ましく、伸縮性カン皮の両端取付位置はＡ：Ｂ＝２：１の位置とし、頭の後頭部側の略１／３に伸縮性カン皮によりフィットさせることが最適であることが認められた。
また、実施例１〜３の許容範囲が５６〜６０ｃｍとなるため、フリーサイズの帽子として機能できることも確認できた。
【００３８】
【発明の効果】
以上の説明より明らかなように、本発明に係わる帽子によれば、頭に被るクラウンは型成形して所要形状に保形することにより、テインガロン形状等とした場合において型崩れさせない。しかしながら、クラウン自体は頭の大きさに応じて伸縮することはできなくなるが、クラウン内部に両端をクラウンに連結した伸縮性ビン皮をフリーな状態で架け渡し、この伸縮性ビン皮を後頭部の大きさに沿って自動的に伸縮することにより、クラウンは所要形状に保持しかがら、着用者の頭の大きさに応じてフィットさせることができる。
このように、伸縮性ビン皮によりこめかみの部分に当たることなく後頭部にフィットさせているため、全周をビン皮により締め付けている場合に発生する窮屈感や頭痛を発生させることがなく、着用感を高めながら、風等で容易に脱げず、安定した状態で頭部に被着させることができる。
【００３９】
また、伸縮性ビン皮両端との連結位置より前頭側に沿って、非伸縮性で吸汗速乾性を有する汗取り用ビン皮を取り付けると、前頭部側の非伸縮性のビン皮と後頭部側の伸縮性ビン皮とによりクラウンの全周縁に沿ってびん皮により頭部全周をフィットさせることができ、より着用時の安定感を高めることができる。
かつ、ゴルフ等の運動時には生じた汗は吸汗速乾性を有する汗取り用ビン皮により吸収発散できるため、ビン皮部分で汗が溜まって不快感を生じることを防止できる。
【００４０】
さらに、クラウンおよびツバを、パルプ、海草、草木、藁等を原料とする撚糸を用い、空隙をあけたメッシュ状に編んだ素材より形成してストローハットとすると、通気性に富み、ゴルフプレー時に着用すると、運動時に生じる汗を発散できて、非常に着用感が良いものとなる。
【図面の簡単な説明】
【図１】本発明の第１実施形態の帽子を示し、（Ａ）は平面図、（Ｂ）は底面図、（Ｃ）は側面図である。
【図２】上記実施形態の伸縮性ビン皮の寸法および位置関係を示す説明図である。
【図３】第１実施形態の使用形態を示し、（Ａ）は側面図、（Ｂ）は平面図である。
【図４】ブランド名の表記位置を変えた変形例を示す側面図である。
【図５】帽子の着用状態の概略説明図であり、（Ａ）は頭の小さい人の場合、（Ｂ）は頭の大きい人の場合を示す。
【図６】第２実施形態の概略説明図である。
【図７】従来例を示し、（Ａ）は側面図、（Ｂ）は底面図である。
【図８】他の従来例を示す底面図である。
【図９】他の従来例を示し、（Ａ）は底面図、（Ｂ）は要部拡大斜視図である。
【符号の説明】
１０　帽子
１１　クラウン
１２　ツバ
１２ａ　折り返し部
１５　伸縮性ビン皮
１６　汗取り用ビン皮
２０　紐
【図１】
2004124285.tif 000004
【図２】
2004124285.tif 000005
【図３】
2004124285.tif 000006
【図４】
2004124285.tif 000007
【図５】
2004124285.tif 000008
【図６】
2004124285.tif 000009
【図７】
2004124285.tif 000010
【図８】
2004124285.tif 000011
【図９】
2004124285.tif 000012